(57)【要約】  【課題】  未熟練者でも消火栓ホースを消火栓箱内のホース掛けに簡単かつ迅速にジグザグ状に掛けることができ、作業性の向上を図れる消火栓ホースの梱包構造を提供する。  【解決手段】  消火栓ホース６を偏平状態にして所定長さ毎にジグザグ状に折畳み、結束部材１２で結束して梱包箱１３に収納している。ジグザグ状に折畳まれた消火栓ホース６は梱包箱１３から取り出し、この消火栓ホース６を手にしたままその一端側の折り返し部６ａを消火栓箱内のホース掛けの複数本のくし歯に一斉に掛けることができる。【選択図】      図１
2006020706.tif 000002
【特許請求の範囲】
【請求項１】
消火栓ホースを偏平状態にして所定長さ毎にジグザグ状に折畳み、結束部材で結束して梱包箱に収納していることを特徴とする、消火栓ホースの梱包構造。
【請求項２】
前記梱包箱に収納される前記消火栓ホースが複数本であって、それぞれが別々にジグザグ状に折畳まれて結束部材で結束されている、請求項１記載の消火栓ホースの梱包構造。
【請求項３】
消火栓ホースを偏平状態にして所定長さ毎にジグザグ状に折畳み、結束部材で結束して梱包箱に収納する梱包工程と、梱包箱から消火栓ホースをジグザグ状に折畳まれ結束部材で結束された状態のまま取り出し、複数本のくし歯を所定間隔おきに並べてなるホース掛けが設置された消火栓箱内の前記くし歯に、前記消火栓ホースの一端側の折り返し部を掛け、この後前記結束部材による結束を解く格納工程を含むことを特徴とする、消火栓ホースの消火栓箱への格納方法。
【発明の詳細な説明】
【技術分野】
【０００１】
本発明は、消火栓ホースの梱包箱への梱包構造、および消火栓ホースを梱包箱から取り出して消火栓箱へ格納する消火栓箱への格納方法に関する。
【背景技術】
【０００２】
従来、消火栓ホースは図５に示すごとく偏平状態にして渦巻き状に巻かれ、この渦巻き状に巻かれた消火栓ホース１５は梱包箱（図示せず）に収納されて消火栓箱の設置された現場にまで運搬される。そして、現場では消火栓ホース１５を梱包箱から取り出して消火栓箱に格納するが、この格納に際しては渦巻き状に巻かれた消火栓ホース１５を直線状に展開しながら、消火栓箱内に設置された多数本のくし歯を所定間隔おきに並べてなるホース掛けの前記くし歯に順次ジグザグ状に掛けて行く（消火栓箱内に消火栓ホースをジグザグ状に掛け終えた状態は図３参照。）。
【発明の開示】
【発明が解決しようとする課題】
【０００３】
しかるに、上記のように渦巻き状に巻かれた消火栓ホースを展開しながらホース掛けにジグザグ状に掛けるには消火栓ホースを所定長さ毎にＵ字状に折り返し、この折り返し部をホース掛けのくし歯の一本一本に掛けて行くため、煩わしい手数と多くの時間がかかり、熟練の要する作業であった。とくに、未熟練者では消火栓ホースを数本のくし歯に掛けた時点でくし歯から外れやすく、全てのくし歯（通常、２０本）に完全に掛け終えてしまうには困難極まる作業であった。また、渦巻き状に巻かれた消火栓ホースを一旦、直線状に展開するには広いスペースを要し、しかもその場所の床面は汚れている場合が多く、消火栓ホースが汚れやすかった。
【０００４】
本発明は、このような問題を解決するためになされたものであり、その目的とするところは、消火栓ホースの梱包形態を改善することにより未熟練者でも消火栓ホースを消火栓箱内のホース掛けに簡単かつ迅速にジグザグ状に掛けることができ、作業性の向上を図れ、またホースを展開する広いスペースを不要にする、消火栓ホースの梱包構造および消火栓箱への格納方法を提供することにある。
【課題を解決するための手段】
【０００５】
上記目的を達成するために、本発明の消火栓ホースの梱包構造は、消火栓ホースを偏平状態にして所定長さ毎にジグザグ状に折畳み、結束部材で結束して梱包箱に収納していることに特徴を有するものである。
【０００６】
この場合において、前記梱包箱に収納される前記消火栓ホースが複数本であって、それぞれが別々にジグザグ状に折畳まれて結束部材で結束されたものにすることができる。
【０００７】
上記目的を達成するために、本発明の消火栓ホースの消火栓箱への格納方法は、消火栓ホースを偏平状態にして所定長さ毎にジグザグ状に折畳み、結束部材で結束して梱包箱に収納する梱包工程と、梱包箱から消火栓ホースをジグザグ状に折畳まれ結束部材で結束された状態のまま取り出し、複数本のくし歯を所定間隔おきに並べてなるホース掛けが設置された消火栓箱内の前記くし歯に、前記消火栓ホースの一端側の折り返し部を掛け、前記結束部材による結束を解く格納工程を含むことに特徴を有するものである。
【発明の効果】
【０００８】
本発明の消火栓ホースの梱包構造および消火栓箱への格納方法によれば、消火栓ホースは所定長さ毎にジグザグ状に折畳んであるので、その一端側及び他端側にそれぞれ形成される折り返し部群はほぼ一直線状に揃えられる状態が得られる。したがって、ジグザグ状に折畳まれた消火栓ホースを梱包箱から取り出すとき、この消火栓ホースの一端側の折り返し部群が上向きになるように結束部材で結束された部分を手で握ると、その一端側の各折り返し部群が横一直線状に並ぶ状態となる。その消火栓ホースを手で握ったまま一端側の折り返し部群をホース掛けのくし歯の前方へ持って行くことにより各折り返し部が各くし歯の前側に一致する状態が得られるため、消火栓ホースをそのままホース掛けの方へ押し付けることにより各折り返し部を各くし歯に一斉に差し込むことができる。これにより未熟練者でも簡単にかつ速やかに消火栓ホースをホース掛けにジグザグ状に整った状態に掛けることができ、消火栓箱への格納作業性は著しく向上できる。
【０００９】
ジグザグ状に折畳まれた消火栓ホースは結束部材で結束しておくと、運搬時やホース掛けに掛ける時等にジグザグ状の折畳み状態が崩れるのを防止でき、またホース掛けに掛けるときにその結束部材により結束された部分は細く狭まっていて手でつかみ易く、一端側の各折り返し部を各くし歯に一斉に掛ける作業が容易に行える。
【００１０】
上述のように、予めジグザグ状に折畳まれた消火栓ホースは、梱包箱から取り出してジグザグ状の折畳み状態のままホース掛けに掛けることができ、前述した従来の渦巻き状に巻かれた消火栓ホースのごとく一旦床面上で直線状に展開する必要が無いので狭い作業スペース内でもホース掛け作業を可能にし、また消火栓ホースを床面で汚す恐れもない。
【００１１】
一つの消火栓箱に複数本の消火栓ホースが格納される場合、それぞれの消火栓ホースを個別にジグザグ状に折畳んで結束部材で結束しておくと、折り返し部群をほぼ一直線状に揃えた状態に結束し易く、またホース掛けへの掛け作業時にも持ち易く、掛け作業を一段と容易に行なうことができる。
【発明を実施するための最良の形態】
【００１２】
本発明の好適な実施形態を図面に基づき説明する。図１は本発明の一実施例に係る消火栓ホースの梱包構造を開蓋状態で示す斜視図、図２は梱包前の消火栓ホースの斜視図、図３は消火栓箱の正面扉を開けて消火栓ホースのホース掛けへの掛け状態を示す斜視図、図４は消火栓ホースを消火栓箱内のホース掛けに掛ける途上状態を示す斜視図である。
【００１３】
図３に示すように、本発明の対象とする消火栓箱１の内部には、複数本（通常、２１本）のくし歯２を所定間隔おきに並べてなる櫛形状のホース掛け３が所定高さ位置に設置され、ホース掛け３の一側の近傍には消火栓のバルブ４が、他側の近傍にはノズル掛け５がそれぞれ設置されている。ホース掛け３には布製の消火栓ホース６がジグザグ状に掛けられる。この消火栓箱１には、１本の所要長さの消火栓ホース６を格納することもできるが、通常は、図示例のように、所要長さ、例えば１５ｍ長さの消火栓ホース６を２本、ノズル７と共に格納する。そのうち１本目の消火栓ホース６の一端には消火栓のバルブ４に接続する接続金具８を、他端に２本目の消火栓ホース６の一端の接続金具（前記接続金具８と同じもの）９と接続される接続金具１０を備え、２本目の消火栓ホース６の他端にはノズル７と接続される接続金具（前記接続金具１０と同じもの）１１を備えている。
【００１４】
本発明は、消火栓ホース６が消火栓箱１に格納されるに先立って梱包されるが、この梱包に際し、予め、上記消火栓箱１のホース掛け３に消火栓ホース５を簡単にジグザグ状に掛ける状態に格納できるような梱包形態を採用することに特徴を有するものである。
すなわち、本発明に係る消火栓ホースの梱包構造は、図２に示すように、消火栓ホース６を偏平状態にして上記ホース掛け３の取付け高さに対応する所定長さ毎にジグザグ状に折畳み、この折畳み状態を保持すべくプラスチックフィルム製紐、丸紐、平紐、バンド、テープ等の結束部材１２で結束し、図１に示すごとく梱包箱１３に収納する。所定長さ毎にジグザグ状に折畳まれた消火栓ホース６は、その一端側及び他端側にそれぞれ折り返し部６ａ、６ｂ群がほぼ一直線状に揃えられる状態に折畳まれる。２本の消火栓ホース６はそれぞれ別々にジグザグ状に折畳んで結束部材１２で結束される。
【００１５】
上記のように消火栓ホース６を梱包箱１３に梱包しておくと、消火栓ホース６を梱包箱１３から取り出して消火栓箱１に格納するときには、図４に示すように、消火栓ホース６の結束部材１２で結束された部分を手で握って一端側の折り返し部６ａ群を上向きにすることにより各折り返し部６ａが横一列に並ぶ状態となり、そのままホース掛け３のくし歯２の前方に持って行くことにより各折り返し部６ａを各くし歯２に一斉に差し込むことができる。これにより未熟練者でも消火栓ホース６をホース掛け３に簡単にジグザグ状に掛けることができる。消火栓ホース６をホース掛け３に掛けた後、結束部材１２は不要となるのでこれが取り外される。なお、１本目の消火栓ホース６の接続金具８は消火栓のバルブ４に接続され、２本目の消火栓ホース６の接続金具１１はノズル７に接続される。１本目の消火栓ホース６の接続金具１０と２本目の消火栓ホース６の接続金具９とは予め接続しておく。
【００１６】
梱包状態において、ジグザグ状に折畳まれた消火栓ホース６の結束部材１２で結束される箇所は一端側の折り返し部６ａ群と他端側の折り返し部６ｂ群との間の丁度中間位置よりもホース掛け３に掛けられる一端側の折り返し部６ａ群寄りに偏した箇所に設定することが、梱包箱１３から取り出して消火栓ホース６の結束部材１２で結束された部分を手で握って一端側の折り返し部６ａ群を上向きにすることにより消火栓ホース６それ自体の硬直性を利用して各折り返し部６ａがホース掛け３の各くし歯２に一致するよう横一直線状に並ぶ状態を確保し易い点でより好ましい。これは、消火栓ホース６の結束部材１２による結束箇所が一端側の折り返し部６ａ群から余り離れた箇所であると、消火栓ホース６の結束箇所より上方部分が折れ曲がり易くなり、これにより折り返し部６ａ群が図４中、矢印Ａで示す方向に扇状に拡がって各折り返し部６ａが横一直線状に並ぶ状態を得難くなり、このため各折り返し部６ａを各くし歯２に一斉に掛け難くなるからである。
【００１７】
次に、この発明の消火栓ホースの消火栓箱への格納方法について、図１および図４を参照して説明する。まず、図１に示すように、消火栓ホース６は、上述のように偏平状態にして所定長さ毎にジグザグ状に折畳み、結束部材１２で結束して梱包箱１３に収納する。しかる後、この梱包状態で消火栓箱１の設置された現場へ運び、消火栓箱１の中に格納するが、この格納時には、上述のように、梱包箱１３から消火栓ホース６をジグザグ状に折畳まれ結束部材１２で結束された状態のまま取り出して、図４のように消火栓箱１内のホース掛け３のくし歯２群の前方へ持って行き、その消火栓ホース６の一端側の折り返し部６ａをくし歯２に掛ける。その後、結束部材１２による結束を解く。
【００１８】
この方法によれば未熟練者でも消火栓ホース６を消火栓箱１内のホース掛け３に簡単かつ迅速にジグザグ状に掛けることができ、作業性を著しく向上できるに至った。
【図面の簡単な説明】
【００１９】
【図１】本発明の一実施例に係る消火栓ホースの梱包構造を開蓋状態で示す斜視図である。
【図２】梱包前の消火栓ホースの斜視図である。
【図３】消火栓箱の正面扉を開けて消火栓ホースのホース掛けへの掛け状態を示す斜視図である。
【図４】消火栓ホースを消火栓箱内のホース掛けに掛ける途上状態を示す斜視図である。
【図５】従来例の梱包前の渦巻き状の消火栓ホースを示す斜視図である。
【符号の説明】
【００２０】
１  消火栓箱
２  くし歯
３  ホース掛け
６  消火栓ホース
６ａ  折り返し部
１２  結束部材
１３  梱包箱
【図１】
2006020706.tif 000003
【図２】
2006020706.tif 000004
【図３】
2006020706.tif 000005
【図４】
2006020706.tif 000006
【図５】
2006020706.tif 000007
【手続補正書】
【提出日】平成17年1月26日(2005.1.26)
【手続補正１】
【補正対象書類名】特許請求の範囲
【補正対象項目名】全文
【補正方法】変更
【補正の内容】
【特許請求の範囲】
【請求項１】
消火栓ホースを偏平状態にして所定長さ毎にジグザグ状に折畳み、結束部材で結束して梱包箱に収納していることを特徴とする、消火栓ホースの梱包構造。
【請求項２】
前記梱包箱に収納される前記消火栓ホースが複数本であって、それぞれが別々にジグザグ状に折畳まれて結束部材で結束されている、請求項１記載の消火栓ホースの梱包構造。
【請求項３】
消火栓ホースを偏平状態にして所定長さ毎にジグザグ状に折畳み、結束部材で結束して梱包箱に収納する梱包工程と、梱包箱から消火栓ホースをジグザグ状に折畳まれ結束部材で結束された状態のまま取り出し、複数本のくし歯を所定間隔おきに並べてなるホース掛けが設置された消火栓箱内の前記くし歯に、前記消火栓ホースの一端側の折り返し部を掛け、この後前記結束部材による結束を解く格納工程を含むことを特徴とする、消火栓ホースの消火栓箱への格納方法。
【請求項４】
偏平状態にして所定長さ毎にジグザグ状に折畳まれ、結束部材で結束して梱包箱に収納された消火栓ホースを、梱包箱から結束された状態のまま取り出し、複数本のくし歯を所定間隔おきに並べてなるホース掛けが設置された消火栓箱内の前記くし歯に、前記消火栓ホースの一端側の折り返し部を掛け、この後前記結束部材による結束を解くことにより、消火栓ホースを消火栓箱に格納する消火栓ホースの消火栓箱への格納構造であって、前記ホース掛けが、左右方向に延びかつ一端が軸支されて水平揺動自在に構成された細長板材の左右両側に前方に突出する取付片を有し、この取付片間に少なくとも下向きに回動自在な軸部が横架され、この軸部に前記複数のくし歯が所定間隔を置いて並設され、これら複数のくし歯に前記消火栓ホースの一端側の折り返し部が掛けられ、該消火栓ホースは、前記軸部を下向きに回動させることにより前記くし歯からはずせるようになっていることを特徴とする、消火栓ホースの消火栓箱への格納構造。
【請求項５】
偏平状態にして所定長さ毎にジグザグ状に折畳まれ、結束部材で個別に結束して梱包箱に収納された複数本の消火栓ホースを、梱包箱から結束された状態のまま取り出し、複数本のくし歯を所定間隔おきに並べてなるホース掛けが設置された消火栓箱内の前記くし歯に、前記消火栓ホースの一端側の折り返し部を掛け、この後前記結束部材による結束を解くことにより、各消火栓ホースを消火栓箱に格納する消火栓ホースの消火栓箱への格納構造であって、各消火栓ホース同士を接続する接続金具が消火栓ホースの下方部に位置するように配置したことを特徴とする、消火栓ホースの消火栓箱への格納構造。
【手続補正２】
【補正対象書類名】明細書
【補正対象項目名】全文
【補正方法】変更
【補正の内容】
【発明の詳細な説明】
【技術分野】
【０００１】
本発明は、消火栓ホースの梱包箱への梱包構造、および消火栓ホースを梱包箱から取り出して消火栓箱へ格納する消火栓箱への格納方法に関する。
【背景技術】
【０００２】
従来、消火栓ホースは図５に示すごとく偏平状態にして渦巻き状に巻かれ、この渦巻き状に巻かれた消火栓ホース１５は梱包箱（図示せず）に収納されて消火栓箱の設置された現場にまで運搬される。そして、現場では消火栓ホース１５を梱包箱から取り出して消火栓箱に格納するが、この格納に際しては渦巻き状に巻かれた消火栓ホース１５を直線状に展開しながら、消火栓箱内に設置された多数本のくし歯を所定間隔おきに並べてなるホース掛けの前記くし歯に順次ジグザグ状に掛けて行く（消火栓箱内に消火栓ホースをジグザグ状に掛け終えた状態は図３参照。）。
【発明の開示】
【発明が解決しようとする課題】
【０００３】
しかるに、上記のように渦巻き状に巻かれた消火栓ホースを展開しながらホース掛けにジグザグ状に掛けるには消火栓ホースを所定長さ毎にＵ字状に折り返し、この折り返し部をホース掛けのくし歯の一本一本に掛けて行くため、煩わしい手数と多くの時間がかかり、熟練の要する作業であった。とくに、未熟練者では消火栓ホースを数本のくし歯に掛けた時点でくし歯から外れやすく、全てのくし歯（通常、２０本）に完全に掛け終えてしまうには困難極まる作業であった。また、渦巻き状に巻かれた消火栓ホースを一旦、直線状に展開するには広いスペースを要し、しかもその場所の床面は汚れている場合が多く、消火栓ホースが汚れやすかった。
【０００４】
本発明は、このような問題を解決するためになされたものであり、その目的とするところは、消火栓ホースの梱包形態を改善することにより未熟練者でも消火栓ホースを消火栓箱内のホース掛けに簡単かつ迅速にジグザグ状に掛けることができ、作業性の向上を図れ、またホースを展開する広いスペースを不要にする、消火栓ホースの梱包構造および消火栓箱への格納方法を提供することにある。
【課題を解決するための手段】
【０００５】
上記目的を達成するために、本発明の消火栓ホースの梱包構造は、消火栓ホースを偏平状態にして所定長さ毎にジグザグ状に折畳み、結束部材で結束して梱包箱に収納していることに特徴を有するものである。
【０００６】
この場合において、前記梱包箱に収納される前記消火栓ホースが複数本であって、それぞれが別々にジグザグ状に折畳まれて結束部材で結束されたものにすることができる。
【０００７】
上記目的を達成するために、本発明の消火栓ホースの消火栓箱への格納方法は、消火栓ホースを偏平状態にして所定長さ毎にジグザグ状に折畳み、結束部材で結束して梱包箱に収納する梱包工程と、梱包箱から消火栓ホースをジグザグ状に折畳まれ結束部材で結束された状態のまま取り出し、複数本のくし歯を所定間隔おきに並べてなるホース掛けが設置された消火栓箱内の前記くし歯に、前記消火栓ホースの一端側の折り返し部を掛け、前記結束部材による結束を解く格納工程を含むことに特徴を有するものである。また、本発明は、偏平状態にして所定長さ毎にジグザグ状に折畳まれ、結束部材で結束して梱包箱に収納された消火栓ホースを、梱包箱から結束された状態のまま取り出し、複数本のくし歯を所定間隔おきに並べてなるホース掛けが設置された消火栓箱内の前記くし歯に、前記消火栓ホースの一端側の折り返し部を掛け、この後前記結束部材による結束を解くことにより、消火栓ホースを消火栓箱に格納する消火栓ホースの消火栓箱への格納構造であって、前記ホース掛けが、左右方向に延びかつ一端が軸支されて水平揺動自在に構成された細長板材の左右両側に前方に突出する取付片を有し、この取付片間に少なくとも下向きに回動自在な軸部が横架され、この軸部に前記複数のくし歯が所定間隔を置いて並設され、これら複数のくし歯に前記消火栓ホースの一端側の折り返し部が掛けられ、該消火栓ホースは、前記軸部を下向きに回動させることにより前記くし歯からはずせるようになっていることを特徴とするものである。さらに、本発明は、偏平状態にして所定長さ毎にジグザグ状に折畳まれ、結束部材で個別に結束して梱包箱に収納された複数本の消火栓ホースを、梱包箱から結束された状態のまま取り出し、複数本のくし歯を所定間隔おきに並べてなるホース掛けが設置された消火栓箱内の前記くし歯に、前記消火栓ホースの一端側の折り返し部を掛け、この後前記結束部材による結束を解くことにより、各消火栓ホースを消火栓箱に格納する消火栓ホースの消火栓箱への格納構造であって、各消火栓ホース同士を接続する接続金具が消火栓ホースの下方部に位置するように配置したことを特徴とするものである。
【発明の効果】
【０００８】
本発明の消火栓ホースの梱包構造および消火栓箱への格納方法によれば、消火栓ホースは所定長さ毎にジグザグ状に折畳んであるので、その一端側及び他端側にそれぞれ形成される折り返し部群はほぼ一直線状に揃えられる状態が得られる。したがって、ジグザグ状に折畳まれた消火栓ホースを梱包箱から取り出すとき、この消火栓ホースの一端側の折り返し部群が上向きになるように結束部材で結束された部分を手で握ると、その一端側の各折り返し部群が横一直線状に並ぶ状態となる。その消火栓ホースを手で握ったまま一端側の折り返し部群をホース掛けのくし歯の前方へ持って行くことにより各折り返し部が各くし歯の前側に一致する状態が得られるため、消火栓ホースをそのままホース掛けの方へ押し付けることにより各折り返し部を各くし歯に一斉に差し込むことができる。これにより未熟練者でも簡単にかつ速やかに消火栓ホースをホース掛けにジグザグ状に整った状態に掛けることができ、消火栓箱への格納作業性は著しく向上できる。
【０００９】
ジグザグ状に折畳まれた消火栓ホースは結束部材で結束しておくと、運搬時やホース掛けに掛ける時等にジグザグ状の折畳み状態が崩れるのを防止でき、またホース掛けに掛けるときにその結束部材により結束された部分は細く狭まっていて手でつかみ易く、一端側の各折り返し部を各くし歯に一斉に掛ける作業が容易に行える。
【００１０】
上述のように、予めジグザグ状に折畳まれた消火栓ホースは、梱包箱から取り出してジグザグ状の折畳み状態のままホース掛けに掛けることができ、前述した従来の渦巻き状に巻かれた消火栓ホースのごとく一旦床面上で直線状に展開する必要が無いので狭い作業スペース内でもホース掛け作業を可能にし、また消火栓ホースを床面で汚す恐れもない。
【００１１】
一つの消火栓箱に複数本の消火栓ホースが格納される場合、それぞれの消火栓ホースを個別にジグザグ状に折畳んで結束部材で結束しておくと、折り返し部群をほぼ一直線状に揃えた状態に結束し易く、またホース掛けへの掛け作業時にも持ち易く、掛け作業を一段と容易に行なうことができる。
【発明を実施するための最良の形態】
【００１２】
本発明の好適な実施形態を図面に基づき説明する。図１は本発明の一実施例に係る消火栓ホースの梱包構造を開蓋状態で示す斜視図、図２は梱包前の消火栓ホースの斜視図、図３は消火栓箱の正面扉を開けて消火栓ホースのホース掛けへの掛け状態を示す斜視図、図４は消火栓ホースを消火栓箱内のホース掛けに掛ける途上状態を示す斜視図である。
【００１３】
図３に示すように、本発明の対象とする消火栓箱１の内部には、複数本（通常、２１本）のくし歯２を所定間隔おきに並べてなる櫛形状のホース掛け３が所定高さ位置に設置され、ホース掛け３の一側の近傍には消火栓のバルブ４が、他側の近傍にはノズル掛け５がそれぞれ設置されている。図３及び図４に示すように、ホース掛け３は、左右方向に延びかつ一端が軸支されて水平揺動自在に構成された細長板材の左右両側に前方に突出する取付片を有し、この取付片間に少なくとも下向きに回動自在な軸部が横架され、この軸部に前記複数のくし歯２が所定間隔を置いて並設されている。ホース掛け３には布製の消火栓ホース６がジグザグ状に掛けられる。消火栓ホース６は、前記軸部を下向きに回動させることによりくし歯２からはずせるようになっている。この消火栓箱１には、１本の所要長さの消火栓ホース６を格納することもできるが、通常は、図示例のように、所要長さ、例えば１５ｍ長さの消火栓ホース６を２本、ノズル７と共に格納する。そのうち１本目の消火栓ホース６の一端には消火栓のバルブ４に接続する接続金具８を、他端に２本目の消火栓ホース６の一端の接続金具（前記接続金具８と同じもの）９と接続される接続金具１０を備え、２本目の消火栓ホース６の他端にはノズル７と接続される接続金具（前記接続金具１０と同じもの）１１を備えている。
【００１４】
本発明は、消火栓ホース６が消火栓箱１に格納されるに先立って梱包されるが、この梱包に際し、予め、上記消火栓箱１のホース掛け３に消火栓ホース５を簡単にジグザグ状に掛ける状態に格納できるような梱包形態を採用することに特徴を有するものである。
すなわち、本発明に係る消火栓ホースの梱包構造は、図２に示すように、消火栓ホース６を偏平状態にして上記ホース掛け３の取付け高さに対応する所定長さ毎にジグザグ状に折畳み、この折畳み状態を保持すべくプラスチックフィルム製紐、丸紐、平紐、バンド、テープ等の結束部材１２で結束し、図１に示すごとく梱包箱１３に収納する。所定長さ毎にジグザグ状に折畳まれた消火栓ホース６は、その一端側及び他端側にそれぞれ折り返し部６ａ、６ｂ群がほぼ一直線状に揃えられる状態に折畳まれる。２本の消火栓ホース６はそれぞれ別々にジグザグ状に折畳んで結束部材１２で結束される。
【００１５】
上記のように消火栓ホース６を梱包箱１３に梱包しておくと、消火栓ホース６を梱包箱１３から取り出して消火栓箱１に格納するときには、図４に示すように、消火栓ホース６の結束部材１２で結束された部分を手で握って一端側の折り返し部６ａ群を上向きにすることにより各折り返し部６ａが横一列に並ぶ状態となり、そのままホース掛け３のくし歯２の前方に持って行くことにより各折り返し部６ａを各くし歯２に一斉に差し込むことができる。これにより未熟練者でも消火栓ホース６をホース掛け３に簡単にジグザグ状に掛けることができる。消火栓ホース６をホース掛け３に掛けた後、結束部材１２は不要となるのでこれが取り外される。なお、１本目の消火栓ホース６の接続金具８は消火栓のバルブ４に接続され、２本目の消火栓ホース６の接続金具１１はノズル７に接続される。１本目の消火栓ホース６の接続金具１０と２本目の消火栓ホース６の接続金具９とは予め接続しておく。
【００１６】
梱包状態において、ジグザグ状に折畳まれた消火栓ホース６の結束部材１２で結束される箇所は一端側の折り返し部６ａ群と他端側の折り返し部６ｂ群との間の丁度中間位置よりもホース掛け３に掛けられる一端側の折り返し部６ａ群寄りに偏した箇所に設定することが、梱包箱１３から取り出して消火栓ホース６の結束部材１２で結束された部分を手で握って一端側の折り返し部６ａ群を上向きにすることにより消火栓ホース６それ自体の硬直性を利用して各折り返し部６ａがホース掛け３の各くし歯２に一致するよう横一直線状に並ぶ状態を確保し易い点でより好ましい。これは、消火栓ホース６の結束部材１２による結束箇所が一端側の折り返し部６ａ群から余り離れた箇所であると、消火栓ホース６の結束箇所より上方部分が折れ曲がり易くなり、これにより折り返し部６ａ群が図４中、矢印Ａで示す方向に扇状に拡がって各折り返し部６ａが横一直線状に並ぶ状態を得難くなり、このため各折り返し部６ａを各くし歯２に一斉に掛け難くなるからである。
【００１７】
次に、この発明の消火栓ホースの消火栓箱への格納方法について、図１および図４を参照して説明する。まず、図１に示すように、消火栓ホース６は、上述のように偏平状態にして所定長さ毎にジグザグ状に折畳み、結束部材１２で結束して梱包箱１３に収納する。しかる後、この梱包状態で消火栓箱１の設置された現場へ運び、消火栓箱１の中に格納するが、この格納時には、上述のように、梱包箱１３から消火栓ホース６をジグザグ状に折畳まれ結束部材１２で結束された状態のまま取り出して、図４のように消火栓箱１内のホース掛け３のくし歯２群の前方へ持って行き、その消火栓ホース６の一端側の折り返し部６ａをくし歯２に掛ける。その後、結束部材１２による結束を解く。図３には、各消火栓ホース６同士を接続する接続金具９・１０が消火栓ホース６の下方部に位置するように配置した場合が示されている。
【００１８】
この方法によれば未熟練者でも消火栓ホース６を消火栓箱１内のホース掛け３に簡単かつ迅速にジグザグ状に掛けることができ、作業性を著しく向上できるに至った。
【図面の簡単な説明】
【００１９】
【図１】本発明の一実施例に係る消火栓ホースの梱包構造を開蓋状態で示す斜視図である。
【図２】梱包前の消火栓ホースの斜視図である。
【図３】消火栓箱の正面扉を開けて消火栓ホースのホース掛けへの掛け状態を示す斜視図である。
【図４】消火栓ホースを消火栓箱内のホース掛けに掛ける途上状態を示す斜視図である。
【図５】従来例の梱包前の渦巻き状の消火栓ホースを示す斜視図である。
【符号の説明】
【００２０】
１  消火栓箱
２  くし歯
３  ホース掛け
６  消火栓ホース
６ａ  折り返し部
１２  結束部材
１３  梱包箱